(57)【要約】      （修正有）【課題】従来の照明用のレンズが光線の範囲および光度を正確に制御することができない問題、および光が変化しない問題を解決する照明用のレンズを提供する。【解決手段】レンズ本体１を備える。レンズ本体１は、第一表面１１、第二表面１２、および、凹部１３を有する。第一表面１１と第二表面１２との間に環状曲線が接続している。環状曲線は、互いに対称である二つの弧線１５が結合することにより形成されている。二つの弧線１５は、一端に位置する第一端点１５１、中央に位置する中点１５２、および、他端に位置する第二端点１５３を有する。照明用のレンズは、上述の通りである。【選択図】図２
0003196107.tif 000002
【実用新案登録請求の範囲】
【請求項１】
照明に用いられるレンズであり、
レンズ本体を備え、
前記レンズ本体は、第一表面、第二表面、および、第一表面と第二表面を接続する環状曲線を有し、
前記環状曲線は、互いに対称である二つの弧線が結合することにより形成されており、
二つの前記弧線は、一端に位置する第一端点、中央に位置する中点、および、他端に位置する第二端点を有することで、前記第一表面は複数の焦点を有する曲面となることを特徴とする照明用のレンズ。
【請求項２】
前記レンズ本体は、前記第一端点から前記中点まで弧状に形成されている線分である第一弧状線分の弧度が、前記中点から前記第二端点まで弧状に形成されている線分である第二弧状線分の弧度より小さく形成されていることを特徴とする請求項１に記載の照明用のレンズ。
【請求項３】
前記レンズ本体は、前記第一端点から前記中点まで弧状に形成されている線分と前記中点から前記第二端点まで弧状に形成されている線分とが、互いに対称であることを特徴とする請求項１に記載の照明用のレンズ。
【請求項４】
前記レンズ本体は、内側の側面に凹部が形成されていることを特徴とする請求項１に記載の照明用のレンズ。
【考案の詳細な説明】
【技術分野】
【０００１】
本考案は、照明用のレンズに関し、特に、レンズ本体の第一表面および第二表面の間で隣接する環状曲線により形成されている複数の焦点を有する曲面を利用して光の形および光路を制御する技術に関する。
【背景技術】
【０００２】
現在、照明装置の光源の多くはＬＥＤを使用している。ＬＥＤは、省エネ、節電、長時間使用可能であるメリットを有する。しかしながら、ＬＥＤを使用する照明装置の光度を高めようとするとき、比較的に多いＬＥＤを使用する。よって、外観上、複数の光点を有し、複数の光点により被照射体が眩しくなり、朦朧感が生じ、目が疲れやすくなる。よって、照明装置とレンズをあわせて使用することが光度を高める最良の対策である。
【０００３】
特許文献１に記載されている「レンズ交換可能である発光ダイオード照明装置」は、一つのランプカップの中に一つの発光ダイオードが設けられている。ランプカップの後ろ側の端部には回路基板が内設されている燈座が設けられている。ランプカップの前側の端部には照射穴が形成されている蓋部が設けられている。照射穴には、発光ダイオードの前側に位置する脱着可能なレンズが設けられている。このレンズは、様々な形および色を有する。よって、異なるレンズを交換することで、照明装置の外観または照明効果を変化することができる。
【０００４】
上述の従来のレンズは凸レンズである。また、弧度の異なるレンズを使用することで発光ダイオード照明装置の光線を変化させる。しかしながら、この変化は、照射の距離および面積に限られている。光線の経路を変化することができない。たとえば、車用ライトまたは自転車用ライトは、下側に向いて路面を照射する性能を必要としている。しかしながら、現在の光線は環状に放射している。よって、半分の光が燈具の上側に照射される。これは、使用者の視線に影響を与え、危険を招く恐れがある。
【先行技術文献】
【特許文献】
【０００５】
【特許文献１】台湾特許第３４３１１２号明細書
【考案の概要】
【考案が解決しようとする課題】
【０００６】
本考案は、従来の照明用のレンズが光線の範囲および光度を正確に制御することができない問題、および光が変化しない問題を解決する照明用のレンズを提供することを目的としている。
【課題を解決するための手段】
【０００７】
本考案の照明用のレンズは、照明に用いられ、レンズ本体を備える。レンズ本体は、第一表面、第二表面、および、第一表面と第二表面を接続する環状曲線を有する。環状曲線は、互いに対称である二つの弧線が結合することにより形成されている。二つの弧線は、一端に位置する第一端点、中央に位置する中点、および、他端に位置する第二端点を有する。よって、第一表面は複数の焦点を有する曲面を形成する。
【０００８】
本考案の照明用のレンズにおいて、レンズ本体は、第一端点から中点まで弧状に形成されている線分である第一弧状線分の弧度が、中点から第二端点まで弧状に形成されている線分である第二弧状線分の弧度より小さく形成されている。
【０００９】
本考案の照明用のレンズにおいて、レンズ本体は、第一端点から中点まで弧状に形成されている線分、および、中点から第二端点まで弧状に形成されている線分が、互いに対称である。
【００１０】
本考案の照明用のレンズにおいて、レンズ本体は、内側の側面に凹部が形成されている。  
【００１１】
本考案の照明用のレンズにおいて、レンズ本体は照明装置に結合可能である。照明装置は、燈座およびＬＥＤ光源を備える。照明装置は、車用ライト、街灯、懐中電灯、およびサーチライトを含む。
【００１２】
本考案の照明用のレンズの利点は以下のとおりである。
１、ＬＥＤ（複数のＬＥＤ  または一つのＬＥＤ）を光源として使用する場合、光はレンズ本体の環状曲線により形成される複数の焦点を有する曲面により均等に投射され、所定位置まで制御される。遮光片の補助による明暗境界線が発生しないため、全体の光度の損失を低減することができる。
２、ＬＥＤの数を減らすことでコストを低減することができる。
３、ＬＥＤを光源とすることで、熱の発生を低減することができ、商品の競争力を高めることができる。
４、レンズ本体の環状曲線により形成される複数の焦点を有する曲面は、光の形を楕円形、円形、または半円形にすることができ、様々なニーズに対応することができる。
５、本考案のレンズ本体は、光を均等に投射することで、従来の複数の光源により生じる朦朧感を改善することができ、目の疲れを抑制することができる。
【図面の簡単な説明】
【００１３】
【図１】本考案の第一実施形態によるレンズ本体を示す斜視図である。
【図２】本考案の第一実施形態によるレンズ本体を示す側面図である。
【図３】本考案の第一実施形態によるレンズ本体が灯具に結合されている状態を示す模式図である。
【図４】本考案の第一実施形態によるレンズ本体の投射効果を示す模式図である。
【図５】本考案の第二実施形態によるレンズ本体を示す側面図。
【図６】本考案の第二実施形態によるレンズ本体の投射効果を示す模式図である。
【考案を実施するための形態】
【００１４】
（第一実施形態）
本考案の実施形態を図面に基づいて説明する。
図１、２に示すように、本考案の第一実施形態による照明用のレンズは、レンズ本体１を備える。レンズ本体１は、第一表面１１、第二表面１２、および、凹部１３を有する。第一表面１１と第二表面１２との間に環状曲線１４が接続している（図２参照）。環状曲線１４は、互いに対称である二つの弧線１５が結合することにより形成されている（図１参照）。二つの弧線１５は、一端に位置する第一端点１５１、中央に位置する中点１５２、および、他端に位置する第二端点１５３を有する（図２参照）。照明用のレンズは、上述の通りである。
【００１５】
本考案のレンズ本体１は、様々な灯具に結合して使用可能である。例えば、車用ライト、街灯、懐中電灯、およびサーチライトなどに適用可能である。図３に示すように、灯具２は、燈座２１およびＬＥＤ光源２２を備える。ＬＥＤ光源２２は、燈座２１内に設けられている。燈座２１は、内部に第一結合部２３が設けられている。レンズ本体１は、凹部１３内に、第二結合部１３０が設けられている。レンズ本体１は、第二結合部１３０が燈座２１の第一結合部２３に結合することで、燈具２に固定される。燈座２１の第一結合部２３には、おねじ部が設けられている。レンズ本体１の第二結合部１３０にはめねじ部が設けられている。
【００１６】
本考案の第一実施形態を図２、４に示す。レンズ本体１の弧線１５は、第一端点１５１から中点１５２まで弧状に形成されている線分である第一弧状線分１５４、中点１５２から第二端点１５３まで弧状に形成されている線分である第二弧状線分１５５を有する。また、第一弧状線分１５４の弧度は第二弧状線分１５５の弧度より小さい。レンズ本体１は、自転車用ライトに適用されている。ＬＥＤ光源２２から投射される光は、第一弧状線分１５４を通って前進方向に放射する。第二弧状線分１５５は、光を下方向に放射する。これにより、光が前進方向および下方向に集中する。使用者の前進方向および路面が見えやすくなることで、走行安全を高めることができる。
【００１７】
（第二実施形態）
本考案の第二実施形態を図５、６に示す。第二実施形態では、レンズ本体１Ａの二つの弧線１５Ａは、第一端点１５１Ａから中点１５２Ａまで弧状に形成されている線分である弧状線分１５４Ａと、第二端点１５３Ａから中点１５２Ａまで弧状に形成されている線分である弧状線分１５４Ａとが、中点１５２Ａを中心として互いに対称である。図６に示すように、レンズ本体１Ａは、サーチライトに適用されている。ＬＥＤ光源２２から投射される光は、弧状線分１５４Ａを通って前方向に集中して放射する。これにより、光を遠く投射することができ、ターゲットに投射される光を集中させることができる。また、光の光度および正確さを高めることができる。
【００１８】
上述したように、本考案は、予想された目的および効果を達成した。また、従来のものより優れている。上述の実施形態は、本考案の好ましい実施形態であり、本考案の実用新案登録請求の範囲を限定するものではない。本考案の課題を解決するための手段の技術範囲内での均等化および変更は、すべて本考案の実用新案登録請求の範囲内に含まれる。
【符号の説明】
【００１９】
１、１Ａ  レンズ本体、
１１  第一表面、
１２  第二表面、
１３  凹部、
１３０  第二結合部、
１４  環状曲線、
１５、１５Ａ  弧線、
１５１、１５１Ａ  第一端点、
１５２、１５２Ａ  中点、
１５３、１５３Ａ  第二端点、
１５４  第一弧状線分、
１５４Ａ  弧状線分、
１５５  第二弧状線分、
２  灯具、
２１  座部、
２２  ＬＥＤ光源、
２３  第一結合部。
【図１】
0003196107.tif 000003
【図２】
0003196107.tif 000004
【図３】
0003196107.tif 000005
【図４】
0003196107.tif 000006
【図５】
0003196107.tif 000007
【図６】
0003196107.tif 000008